(57)【要約】【課題】  従来よりも音声出力できる関連情報の内容のバリエーションを増やすことができる知育用電子装置を提供する。【解決手段】  指定用ユニット１７に識別情報を有する無線ＩＣタグ１８を装着する。装置本体３側に無線ＩＣタグ読み取り用アンテナ１５を配置する。関連情報記憶手段２２に指定用ユニット１７の識別情報及びアンテナ１５で特定される本２の頁内の領域と関連付けて関連情報を予め記憶する。データ読み出し手段２３は、指定用ユニット１７の識別情報とアンテナ１５で特定される領域とに基づいて、関連情報記憶手段２２から関連情報を読み出し、音声出力手段２４は関連情報を音声出力する。【選択図】図３
2006047419.tif 000002
【特許請求の範囲】
【請求項１】
シートまたは本の形態をなした情報担持体が、絵，文字，図形等の情報が表示された情報表示面を上にして載せられる情報担持体載置部と、
前記情報担持体載置部に載置された前記情報担持体の前記情報表示面に示された前記情報に関連する関連情報を記憶する関連情報記憶手段と、
前記情報担持体載置部に載置された前記情報担持体の前記情報表示面を特定する情報表示面特定手段と、
前記情報表示面の１以上の領域を指定する領域指定手段と、
前記情報表示面特定手段により特定された前記情報表示面において、前記領域指定手段により指定された前記１以上の領域に含まれる前記情報に関連した前記関連情報を前記関連情報記憶手段から読み出すデータ読み出し手段と、
前記データ読み出し手段が読み出した前記関連情報を音声で出力する音声出力手段とを備えた知育用電子装置であって、
前記領域指定手段は、検出可能な被検出素子を備えた１以上の指定用ユニットと、前記情報担持体載置部に設けられて前記被検出素子が前記情報担持体載置部上の予め定めた１以上の領域上に前記情報担持体を間に介して位置していることを検出する被検出素子検出手段とからなり、
前記１以上の指定用ユニットに備えられた前記被検出素子は、前記指定用ユニットを識別させるための識別情報を備えており、
前記被検出素子検出手段は前記被検出素子が置かれている前記情報担持体載置部上の領域を特定する機能と前記識別情報を認識する機能とを有しており、
前記関連情報記憶手段には前記１以上の指定用ユニットの前記識別情報及び前記被検出素子検出手段で特定される前記領域と関連付けて前記関連情報が記憶されており、
前記データ読み出し手段は、前記被検出素子検出手段が認識した前記１以上の指定用ユニットの前記識別情報と前記被検出素子検出手段が特定した前記領域とに基づいて、前記関連情報記憶手段から前記関連情報を読み出すように構成されていることを特徴とする知育用電子装置。
【請求項２】
絵，文字，図形等の視覚により認識される情報が表示された複数枚の情報表示シートが頁めくり可能に綴じられて構成された情報表示本からなる情報担持体と、
前記情報担持体に含まれる前記情報表示シートの前記情報が表示された情報表示面を上にして前記情報担持体が載せられる情報担持体載置部と、
前記情報担持体載置部に載置された前記情報担持体の前記複数枚の情報表示シートの前記情報表示面に示された前記情報に関連する関連情報を記憶する関連情報記憶手段と、
前記情報担持体に含まれる前記複数枚の情報表示シートのどの頁が前記情報表示面を上にして前記情報担持体載置部に載置されているかを特定する情報表示面特定手段と、
前記情報表示面の１以上の領域を指定する領域指定手段と、
前記情報表示面特定手段により特定された前記情報表示面において、前記領域指定手段により指定された前記１以上の領域に含まれる前記情報に関連した前記関連情報を前記関連情報記憶手段から読み出すデータ読み出し手段と、
前記データ読み出し手段が読み出した前記関連情報に基づいて音声で出力する音声出力手段とを備えた知育用電子装置であって、
前記領域指定手段は、電気的に検出可能な被検出素子を備えた１以上の指定用ユニットと、前記情報担持体載置部に設けられて前記被検出素子が前記情報担持体載置部上の予め定めた１以上の領域上に前記情報担持体を間に介して位置していることを電気的に検出する被検出素子検出手段とからなり、
前記１以上の指定用ユニットに備えられた前記被検出素子は、前記指定用ユニットを識別させるための識別情報を備えており、
前記被検出素子検出手段は前記被検出素子が置かれている前記情報担持体載置部上の領域を特定する機能と前記識別情報を認識する機能とを有しており、
前記関連情報記憶手段には前記１以上の指定用ユニットの前記識別情報及び前記被検出素子検出手段で特定される前記領域と関連付けて前記関連情報が記憶されており、
前記データ読み出し手段は、前記被検出素子検出手段が認識した前記１以上の指定用ユニットの前記識別情報と前記被検出素子検出手段が特定した前記領域とに基づいて、前記関連情報記憶手段から前記関連情報を読み出すように構成されていることを特徴とする知育用電子装置。
【請求項３】
前記関連情報記憶手段には、前記情報表示面全体に関連する表示面全体関連情報が記憶されており、
前記データ読み出し手段は、前記情報表示面特定手段が前記情報表示面を特定すると、前記領域指定手段からの指定に優先して、前記関連情報記憶手段から特定した前記情報表示面に関連する前記表示面全体関連情報を読み出して、前記音声出力手段に音声出力させることを特徴とする請求項１または２に記載の知育用電子装置。
【請求項４】
複数の前記指定用ユニットを備えており、
前記被検出素子検出手段は、前記複数の指定用ユニットのそれぞれの前記識別情報を認識可能に構成されており、
前記データ読み出し手段は、前記被検出素子検出手段が検出した複数の前記識別情報と前記被検出素子検出手段が特定した前記領域とに基づいて、前記関連情報記憶手段から前記関連情報を読み出すことを特徴とする請求項１，２または３に記載の知育用電子装置。
【請求項５】
前記データ読み出し手段は、前記被検出素子検出手段が認識している複数の前記識別情報の種類と前記被検出素子検出手段が特定した前記領域とに基づいて、前記関連情報記憶手段から前記関連情報を読み出すことを特徴とする請求項４に記載の知育用電子装置。
【請求項６】
前記データ読み出し手段は、前記被検出素子検出手段が複数の前記識別情報を認識した順番と前記被検出素子検出手段が特定した前記領域とに基づいて、前記関連情報記憶手段から前記関連情報を読み出すことを特徴とする請求項４に記載の知育用電子装置。
【請求項７】
前記データ読み出し手段は、前記被検出素子検出手段が１以上の前記識別情報を認識している状態から１以上の前記識別情報を認識しなくなったことと前記被検出素子検出手段が特定した前記領域とに基づいて、前記関連情報記憶手段から前記関連情報を読み出すことを特徴とする請求項４に記載の知育用電子装置。
【請求項８】
前記被検出素子が前記識別情報を記憶した無線ＩＣタグであり、
前記被検出素子検出手段が、前記情報担持体載置部に対して設けられて前記１以上の領域を確定する１以上の無線ＩＣタグ読み取り用アンテナと、前記１以上の無線ＩＣタグ読み取り用アンテナからの入力信号に基づいて前記識別情報を判別する判別手段とを備えていることを特徴とする請求項１，２，３，４，５，６または７に記載の知育用電子装置。
【請求項９】
前記関連情報記憶手段は、交換可能な記憶媒体によって構成されている請求項１に記載の知育用電子装置。
【請求項１０】
前記記憶媒体がＲＯＭカセットである請求項８に記載の知育用電子装置。
【請求項１１】
前記複数枚の情報表示シートにはそれぞれ頁を確認するための情報を備えた無線ＩＣタグが装着されており、
前記情報表示面特定手段は、前記複数枚の情報表示シートに装着された前記無線ＩＣタグに基づいて、前記情報表示面を特定することを特徴とする請求項２に記載の知育用電子装置。
【請求項１２】
絵，文字，図形等の情報が表示された情報表示面を有する情報担持体の前記情報表示面上の領域を指定するための領域指定装置であって、
前記情報担持体が前記情報表示面を上にして載置される情報担持体載置部を有する装置本体と、
電気的に検出可能な被検出素子を備えた１以上の指定用ユニットと、
前記装置本体の前記情報担持体載置部に設けられて前記被検出素子が前記情報担持体載置部上の予め定めた１以上の領域上に前記情報担持体を間に介して位置していることを電気的に検出する被検出素子検出手段とを備え、
前記被検出素子は、前記指定用ユニットを識別させるための識別情報を備えていることを特徴とする領域指定装置。
【請求項１３】
前記被検出素子が前記識別情報を記憶した無線ＩＣタグであり、
前記被検出素子検出手段が、前記情報担持体載置部に対して設けられて前記１以上の領域を確定する１以上の無線ＩＣタグ読み取り用アンテナと、前記１以上の無線ＩＣタグ読み取り用アンテナからの入力信号に基づいて前記識別情報を判別する判別手段とを備えていることを特徴とする請求項１２に記載の領域指定装置。
【発明の詳細な説明】
【技術分野】
【０００１】
本発明は、知育用電子装置及びこの装置に用いるのに適した領域指定装置に関するものである。
【背景技術】
【０００２】
特許第３１２００８５号公報に示された知育用電子装置では、各頁の情報表示面の上に表示された絵や文字等の情報と関連する情報を記憶したＲＯＭが一体に組み込まれた本を用いる。この従来の装置では、本が開かれた状態で置かれる装置本体に、開かれた本の頁のどこの領域がタッチペンからなる指定用ユニットによって指定されたのかを検出する位置検出手段が設けられている。そして従来の装置では、位置検出手段が指定位置を検出すると、その指定位置に表示された情報と関連する関連情報をＲＯＭから読み出して、関連情報を音声で表示する。具体的な位置検出手段は、タッチペンで指定した本の情報表示面の座標を検出するように構成されている。したがって本と一体に設けられるＲＯＭには、座標と関連づけて関連情報が記憶されている。
【０００３】
また特表平１０−５００７８０号公報には、位置検出手段として、スイッチが用いられている。この公報に示された技術では、情報担持体としてのカードの上に置く指定用ユニットでカードを介してスイッチを押すことにより、指定位置を検出している。
【０００４】
また特開平９−２１８６９５号公報には、バーコードを利用して本の上の指定位置を特定して指定位置に表示された情報に関する関連情報を音声で出力する技術が示されている。
【０００５】
さらに特開２０００−３２５６６８号公報には、本の上に表示したバーコード等のマークを読み取る読取装置を熊等のキャラクタの形状にし、そのキャラクタが音声を出力しているように見せる技術が示されている。
【特許文献１】特許第３１２００８５号公報    図１及び図８
【特許文献２】特表平１０−５００７８０号公報  図１
【特許文献３】特開平９−２１８６９５号公報  図１
【特許文献４】特開２０００−３２５６６８号公報  図３
【発明の開示】
【発明が解決しようとする課題】
【０００６】
従来の装置では、本やカード等の情報表示面の情報が表示されている領域の指定の検出に基づいて、指定された領域に記載された情報に関連する関連情報を音声出力している。そのため音声出力される関連情報はいつも同じであり、何回か使用すると使用者が飽きてしまう問題があった。
【０００７】
本発明の目的は、従来よりも音声出力できる関連情報の内容のバリエーションを増やすことができる知育用電子装置を提供することにある。
【０００８】
本発明の他の目的は、複数種類の指定用ユニットを用いて音声出力できる関連情報の内容のバリエーションを増やすことができる知育用電子装置を提供することにある。
【０００９】
本発明の他の目的は、使用する複数の指定用ユニットの種類や数に応じて、音声出力できる関連情報の内容のバリエーションを増やすことができる知育用電子装置を提供することにある。
【００１０】
本発明の他の目的は、複数の指定用ユニットを情報表示面に置く順番に従って音声出力できる関連情報の内容のバリエーションを変えることができる知育用電子装置を提供することにある。
【００１１】
本発明のさらに他の目的は、指定用ユニットが情報表示面上から退去することによっても、音声出力できる関連情報の内容を変えることができる知育用電子装置を提供することにある。
【００１２】
本発明の別の目的は、簡単且つ確実に上記各目的を達成できる知育用電子装置を提供することにある。
【００１３】
本発明の別の目的は、知育用電子装置等に用いるのに適した領域指定装置を提供することにある。
【課題を解決するための手段】
【００１４】
本発明の知育用電子装置は、情報担持体載置部と、関連情報記憶手段と、情報表示面特定手段と、領域指定手段と、データ読み出し手段と、音声出力手段とを有する。情報担持体載置部は、シートまたは本の形態をなしている情報担持体が、絵，文字，図形等の情報が表示された情報表示面を上にして載せられる構造を有している。なお本とは、絵，文字，図形等の視覚により認識される情報が表示された複数枚の情報表示シートが頁めくり可能に綴じられて構成されたものと定義できるものであり、シートまたは本の各頁の片面または両面を情報表示面として利用することができる。また本を用いる場合には、情報担持体載置部の大きさを大きくすれば、すべての頁の両面を情報表示面として同時に使用することも可能である。
【００１５】
関連情報記憶手段は、情報担持体載置部に載置された情報担持体の情報表示面に示された情報に関連する関連情報を記憶している。この関連情報記憶手段は、交換不可能なものであってもよいが、交換可能なものであってもよい。なお関連情報記憶手段が交換不可能な場合には、その記憶内容を書き換え可能なものとしてもよい。また交換可能な関連情報記憶手段を用いると、情報担持体の種類が増えても、容易に対応できる利点が得られる。また１つの関連情報記憶手段に、複数種類の情報担持体に関する関連情報を記憶させておけば、情報担持体載置部に載せる情報担持体を変えるたびに、関連情報記憶手段を交換する必要がなくなって、操作性が高くなる。なお関連情報記憶手段を交換可能な記憶媒体で構成する場合、取り扱いの容易さと価格の面から、現状では記憶媒体としてＲＯＭカセットを用いるのが好ましい。
【００１６】
情報表示面特定手段は、情報担持体載置部に載置された情報担持体の情報表示面を特定する機能を有している。情報担持体がシートであれば、シートの種類、シートの裏または表のいずれが上に向いた状態で情報担持体載置部上にシートが載置されているのかを情報表示面特定手段は特定する。また情報担持体が本であれば、本の種類、本の何頁が上に向いた状態で情報担持体載置部上に載置されているのかを情報表示面特定手段は特定する。この特定は、いわゆる頁の特定である。頁の特定には、前述の特許文献１に示されているような光や磁気を利用する公知の頁検出構造を用いることができる。なお複数枚の情報表示シートにそれぞれ頁を確認するための情報を備えた無線ＩＣタグを装着してもよい。この場合には、情報表示面特定手段は、複数枚の情報表示シートに装着された無線ＩＣタグに基づいて、情報表示面を特定することができるように構成する。
【００１７】
領域指定手段は、情報表示面の１以上の領域を指定するように構成されている。なお本発明で採用する領域指定手段の構成については、後に詳しく説明する。またデータ読み出し手段は、情報表示面特定手段により特定された情報表示面において、領域指定手段により指定された１以上の領域に含まれる情報に関連した関連情報を関連情報記憶手段から読み出すように構成されており、音声出力手段はデータ読み出し手段が読み出した関連情報を音声で出力するように構成されている。
【００１８】
本発明では、領域指定手段を、検出可能な被検出素子を備えた１以上の指定用ユニットと、情報担持体載置部に設けられて被検出素子が情報担持体載置部上の予め定めた１以上の領域上に情報担持体を間に介して位置していることを検出する被検出素子検出手段とから構成する。１以上の指定用ユニットに備えられた被検出素子は、指定用ユニットを識別させるための識別情報を備えている。この被検出素子は、電気的に（電磁結合方式、マイクロ波方式、電磁誘導方式等）検出可能なものがよい。例えば、被検出素子として識別情報を記憶した無線ＩＣタグを用いると、必要十分な識別情報を記憶させることができ、また簡単に識別情報を解読することができる。ここで無線ＩＣタグとは、電波または電磁波を用いて非接触通信により交信するものである。なお後述するアンテナから無線エネルギを受けてこのエネルギを用いて交信するパッシブ・タイプの無線ＩＣタグを用いると、無線ＩＣタグ側に交信用の電源として用いる電池を設ける必要がなくなる。
【００１９】
またこの場合には、被検出素子検出手段は、情報担持体載置部に対して設けられて１以上の領域を確定する１以上の無線ＩＣタグ読み取り用アンテナと、１以上の無線ＩＣタグ読み取り用アンテナからの入力信号に基づいて識別情報を判別する判別手段とを備えた構造にする。無線ＩＣタグ読み取り用アンテナは、情報担持体載置部の外部または内部のいずれに設けても良い。複数の領域を確定するためには、複数の無線ＩＣタグ読み取り用アンテナを用意する必要がある。この場合には、各アンテナは相互に重ならないように配置すればよい。
【００２０】
本発明では、被検出素子検出手段が、被検出素子が置かれている情報担持体載置部上の領域を特定する機能と識別情報を認識する機能とを有している。また関連情報記憶手段には、１以上の指定用ユニットの識別情報及び被検出素子検出手段で特定される領域と関連付けて関連情報が記憶されている。そしてデータ読み出し手段は、被検出素子検出手段が認識した１以上の指定用ユニットの識別情報と被検出素子検出手段が特定した領域とに基づいて、関連情報記憶手段から関連情報を読み出すように構成されている。このようにすると、指定用ユニットの識別情報が関連情報記憶手段に関連情報を記憶させる際及び関連情報記憶手段から関連情報を読み出す際の条件として加わるため、従来と比べて、関連情報の種類を増やすことができる。
【００２１】
複数の指定用ユニットを用いる場合には、被検出素子検出手段は、複数の指定用ユニットのそれぞれの識別情報を認識可能に構成する。またデータ読み出し手段は、被検出素子検出手段が検出した複数の識別情報と被検出素子検出手段が特定した領域とに基づいて、関連情報記憶手段から関連情報を読み出すように構成する。このようにすると指定用ユニットの数を増やせば増やすほど、関連情報の種類は増えることになり、従来と比べて、音声出力のバリエーションを大幅に増やすことが可能になる。
【００２２】
また情報表示面上の領域を指定する際に、予め用意した複数の指定用ユニットから選択した１以上の指定用ユニットでその領域を指定することができるため、指定用ユニットの選択の楽しみや、指定用ユニットを変えたり、その組み合わせを変えることにより、様々に音声出力が変わることの楽しさを味わうことができる。
【００２３】
なお関連情報記憶手段には、情報表示面全体に関連する表示面全体関連情報も併せて記憶しておいてもよい。このようにした場合、データ読み出し手段は、情報表示面特定手段が情報表示面を特定すると、領域指定手段からの指定に優先して、関連情報記憶手段から特定した情報表示面に関連する表示面全体関連情報を読み出して、音声出力手段に音声出力するように構成するのが好ましい。このようにすると、最初に情報表示面全体に関連する表示面全体関連情報が音声表示される。例えば、物語であれば、物語の一場面の前提を最初に音声出力することができる。その後、指定用ユニットで指定した情報表示面の領域に関連する関連情報が音声出力されることになる。その結果、指定用ユニットで指定する領域を変えたり、複数の指定用ユニットを用いることにより、その後のその物語の一場面における物語の展開が変わることになる。このようにすることにより、音声出力が無差別に変更されることがなくなって、知育目的を達成できる範囲内で、音声出力を変更することが可能になる。
【００２４】
データ読み出し手段によるデータの読み出し方法は種々考えることができるものであり、一つに限定されるものではない。例えば、被検出素子検出手段が認識している複数の識別情報の種類と被検出素子検出手段が特定した領域とに基づいて、関連情報記憶手段から関連情報を読み出すようにデータ読み出し手段を構成することができる。またデータ読み出し手段を、被検出素子検出手段が複数の識別情報を認識した順番と被検出素子検出手段が特定した領域とに基づいて、関連情報記憶手段から関連情報を読み出すようにしてもよい。さらにデータ読み出し手段を、被検出素子検出手段が１以上の識別情報を認識している状態から１以上の識別情報を認識しなくなったことと被検出素子検出手段が特定した領域とに基づいて、関連情報記憶手段から関連情報を読み出すように構成することができる。このようにすると複数の指定用ユニットの組み合わせ方と、複数の指定用ユニットによりどの領域を指定するか、複数の指定用ユニットにより領域を指定する順番、指定用ユニットによる領域の指定解除の有無などによって音声出力される関連情報の内容または筋書きを変えることができる。したがって従来の知育用電子装置と比べて、音声表示できる内容が豊富になる。また指定用ユニットの使い方の工夫を使用者が積極的にすることになるので知育効果を従来よりも高めることができる。
【００２５】
絵，文字，図形等の情報が表示された情報表示面を有する情報担持体の情報表示面上の領域を指定するための本発明の領域指定装置は、情報担持体が情報表示面を上にして載置される情報担持体載置部を有する装置本体と、電気的に検出可能な被検出素子を備えた１以上の指定用ユニットと、装置本体の情報担持体載置部に設けられて被検出素子が情報担持体載置部上の予め定めた１以上の領域上に情報担持体を間に介して位置していることを電気的に検出する被検出素子検出手段とを備えている。そして被検出素子は、指定用ユニットを識別させるための識別情報を備えている。
【発明の効果】
【００２６】
本発明によれば、指定用ユニットの識別情報が関連情報記憶手段に関連情報を記憶させる際及び関連情報記憶手段から関連情報を読み出す際の条件として加わるため、従来と比べて、関連情報の種類を増やすことができて、音声出力の内容のバリエーションを豊富なものとすることができる利点が得られる。
【発明を実施するための最良の形態】
【００２７】
以下図面を参照して本発明の実施の形態の一例を詳細に説明する。図１は、本発明の知育用電子装置の実施の形態の斜視図であり、図２はその分解斜視図である。図１に示した知育用電子装置１は、情報担持体としての本２と装置本体３とから構成される。本２は、装置本体３の情報担持体載置部４上に、絵，文字，図形等の情報が表示された情報表示面を上にして載せられる。本２の各頁には、図示しない頁認識用の無線ＩＣタグが外部から見えない状態で装着されている。本実施の形態では、開かれている頁が何頁であるかを、情報担持体載置部４に載っている１枚以上の頁にそれぞれ装着された頁認識用の無線ＩＣタグからの識別情報を受信して確認する。なお情報担持体載置部４の表面及び／または本２の裏面には、本２が情報担持体載置部４から簡単に滑り落ちないようにするための滑り止め加工が施されている。また嵌合構造により、本２が情報担持体載置部４上から簡単に外れないようにしてもよいのは勿論である。さらに場合によっては、接着材を用いて本２を情報担持体載置部４上に固定してもよい。
【００２８】
図２に示すように、装置本体３は、情報担持体載置部４を備えた上側フレーム５と、この上側フレーム５と組み合わされる下側フレーム６とを備えている。上側フレーム５に設けられた操作部７には、５つの押しボタン８と、スピーカマスク９と、電源スイッチ１０とが設けられている。また操作部７内には、フレキシブル回路基板１１が収納されている。回路基板１１上には、５つの押しボタン８のそれぞれの接点部１２を備えた回路パターンが形成されている。またこの回路基板１１上には、本２の情報表示面に示された情報に関連する関連情報を記憶した関連情報記憶手段として用いられるＲＯＭや、データ処理を行うマイクロコンピュータや音声出力回路等が実装されている。また回路基板１１上には、電源スイッチ１０の本体も実装されている。音声を出力するスピーカ１３は、下側フレーム６上に実装されている。下側フレーム６には、電池を収納する電池収納ボックス１４が設けられている。電池収納ボックス１４には、複数本の電池が交換可能に収納さている。また下側フレーム６と上側フレーム５との間には、情報担持体載置部４に対応して無線ＩＣタグ読み取り用アンテナ１５が配置されている。無線ＩＣタグ読み取り用アンテナ１５は、情報担持体載置部４の輪郭に沿うように配置されている。無線ＩＣタグ読み取り用アンテナ１５は、指定用ユニット１７に駆動源となる電気エネルギを与え、且つ指定用ユニット１７から識別情報を受け取る目的で用いられる。アンテナ１５の両端は、無線ＩＣタグの読み取り回路を含む信号処理回路が形成された回路基板１６上の一対の電極に電気的に接続されている。
【００２９】
指定用ユニット１７は、犬等のフィギュアの内部に被検出素子としての無線ＩＣタグ１８とアンテナ（図示せず）とを備えた回路基板１９が収納された構造を有している。回路基板１９上に設けた図示しないアンテナで受信した電波によりアンテナを流れる電流を電源として、無線ＩＣタグ１８は内部に記憶している識別情報を、アンテナから発信する。なお指定用ユニット１７の外観は任意であり、いかなる形状であってもよく、例えば、情報担持体に表示された絵または絵に関連する登場人物やキャラクターの形状を外観として採用してもよい。このようにすると絵に関連する登場人物やキャラクターの種類、またそれらの有無によって音声出力される内容や筋書きが変わるため、音声表示できる内容が豊富になるだけでなく、登場人物やキャラクターと情報担持体の情報を関連付けるため、使用者は指定用ユニットに対して親近感を覚え、愛着を持つようになる。
【００３０】
無線ＩＣタグ読み取り用アンテナ１５は、指定用ユニット１７から発信された識別情報信号を受信する。そして回路基板１６上の信号処理回路は、受信した識別情報信号をＡ／Ｄ変換して、回路基板１１上のマイクロコンピュータに信号を出力する。回路基板１１と回路基板１６とは、図示しない接続手段を介して電気的に接続されている。
【００３１】
この知育用電子装置１では、後に詳しく説明するように、本２の情報表示面上に指定用ユニット１７を載せると、本２の各頁に装着した図示しない頁認識用の無線ＩＣタグに記憶された識別情報と、指定用ユニット１７内の無線ＩＣタグ１８内の識別情報とを無線ＩＣタグ読み取り用アンテナ１５で受信し、識別情報に基づいて情報表示面に表示した情報に関連した関連情報を音声出力する。図３は、本実施の形態の知育用電子装置の装置本体においてデータ処理のために用いる回路の構成を示すブロック図である。図３において、図１及び図２に示した部材と同じものには、図１及び図２に付した符号と同じ符号を付して説明を省略する。
【００３２】
図３において、情報表示面特定手段２１は、情報担持体載置部４に載置された本（情報担持体）２の情報表示面を特定する機能を有している。本実施の形態のように、情報担持体が本２であれば、本の種類、本の何頁が上に向いた状態で情報担持体載置部４上に載置されているのかを情報表示面特定手段２１は特定する。なお本実施の形態では、前述のように本２の各頁に装着した頁認識用の無線ＩＣタグからの識別情報を無線ＩＣタグ読み取り用アンテナ１５で受信して頁を特定する。具体的には、無線ＩＣタグ読み取り用アンテナ１５で受信した頁認識用の無線ＩＣタグからの識別情報の数と種類により、何頁を開いているのかを特定する。前述の指定用ユニット１７内の無線ＩＣタグ１８と頁認識用の無線ＩＣタグとの識別は、識別情報の内容確認によって簡単且つ確実に実施できる。本実施の形態では、無線ＩＣタグ読み取り用アンテナ１５を頁の認識の指定用ユニット１７の認識の両方の用途に兼用することができるので、装置の構成を簡単なものとすることができる。なお情報表示面特定手段２１として、頁の特定に、前述の特許文献１に示されているような光や磁気を利用する公知の頁検出構造を備えたものを用いることができるのは勿論である。
【００３３】
関連情報記憶手段２２は、情報担持体載置部４に載置された本２の情報表示面に示された情報に関連する関連情報を記憶している。使用状態の経過の一例を示す図４に示されるように、開かれた本２の左側の頁には、文章（破線で表示）が記載されており、右側の頁には絵（三角形）が描かれている。関連情報記憶手段２２には、情報表示面（右側の頁の表面）に記載された絵及び／または指定用ユニット１７のキャラクタに関連する情報が記憶されている。複数種類の本を使用する場合には、関連情報記憶手段２２には対象とするすべての本に関しての関連情報を記憶しておけばよい。また後に別の実施の形態で説明するように、複数種類の指定用ユニットを使用する場合には、この関連情報記憶手段２２に、複数種類の指定用ユニットと関連する関連情報も併せて記憶しておけばよい。なお本の種類は、各本の各頁に実装された無線ＩＣタグの識別情報を総合的に判別することによって認識することができる。複数種類の本に関する関連情報を記憶させておけば、情報担持体載置部４に載せる本を変えるたびに、関連情報記憶手段２２を交換する必要がなくなって、操作性が高くなる。
【００３４】
本実施例においては、無線ＩＣタグ読み取り用アンテナ１５及び判別手段２０からなる被検出素子検出手段と指定用ユニット１７に含まれる被検出素子としての無線ＩＣタグ１８とによって、指定用ユニット１７によって指定された本２の情報表示面の領域を指定する領域指定手段が構成されている。判別手段２０は、無線ＩＣタグ読み取り用アンテナ１５からの入力信号に基づいて無線ＩＣタグ１８から送信されてきた識別情報を判別する。識別情報は単なる数字の組み合わせであってもよいし、具体的なデータ情報であってもよい。本実施の形態では、無線ＩＣタグ読み取り用アンテナ１５及び判別手段２０によって構成される被検出素子検出手段が、指定用ユニット１７が置かれている情報担持体載置部４上の領域を特定する機能と、指定用ユニット１７に含まれる無線ＩＣタグに記憶されている識別情報を認識する機能とを有している。
【００３５】
なお後に説明するように、複数の無線ＩＣタグ読み取り用アンテナを配置することもできる。また指定用ユニット１７も複数種類使用することができる。この場合でも、判別手段２０には複数の無線ＩＣタグ読み取り用アンテナからの信号が入力される。そして判別手段２０は、どのアンテナに対応する領域（図４に符号１５´で示した破線で囲まれたアンテナ１５の配置領域）にいかなる種類の指定用ユニットが置かれているかを判別して、領域の判別と識別情報の判別の両方を実行する。
【００３６】
データ読み出し手段２３は、情報表示面特定手段２１により特定された情報表示面（本２の頁）において、領域指定手段（１５，１７，１８，２０）により指定された領域（指定用ユニット１７が置かれた本２の頁の上の領域１５´）に含まれる情報に関連した関連情報を関連情報記憶手段２２から読み出すように構成されている。このようにすると、指定用ユニット１７の無線ＩＣタグ１８内の識別情報が、関連情報記憶手段２２に関連情報を記憶させる際及び関連情報記憶手段２２から関連情報を読み出す際の条件として加わるため、従来と比べて、関連情報の種類を増やすことができる。また音声出力手段２４は、データ読み出し手段２３が読み出した関連情報を音声で出力するように構成されている。音声出力手段２４には、図２に示したスピーカ１３も含まれている。
【００３７】
なお関連情報記憶手段２２には、情報表示面全体に関連する表示面全体関連情報も併せて記憶しておいてもよい。このようにした場合には、データ読み出し手段２３は、情報表示面特定手段２１が情報表示面を特定すると、領域指定手段（１５，１７，１８，２０）からの指定に優先して、関連情報記憶手段２２から特定した情報表示面に関連する表示面全体関連情報を読み出して、音声出力手段２４に音声出力するように構成する。このようにすると最初に、情報表示面全体に関連する表示面全体関連情報が音声表示される。例えば、物語であれば、物語の一場面の前提を最初に音声出力することができる。その後、指定用ユニット１７で指定した情報表示面の領域に関連する関連情報が音声出力される。その結果、指定用ユニット１７で指定する領域を変えたり、複数の指定用ユニットを用いることにより、その後のその物語の一場面における物語の展開が変わることになる。またこのようにすることにより、指定用ユニットによって複数の領域が指定できるようになっている場合においては、スタート時からの指定用ユニット１７による適当な領域の指定によって、音声出力が無差別に変更されることがなくなる。そのため知育目的を達成できる範囲内で、音声出力を変更することが可能になる。
【００３８】
データ読み出し手段２３によるデータの読み出し方法は種々考えることができる。例えば、判別手段２０で判別（または認識）している複数の識別情報の種類と判別手段２０が特定した領域とに基づいて、関連情報記憶手段２２から関連情報を読み出すようにデータ読み出し手段２３を構成することができる。またデータ読み出し手段２３を、判別手段２０が複数の識別情報を認識した順番と判別手段２０が特定した領域とに基づいて、関連情報記憶手段２２から関連情報を読み出すようにしてもよい。さらにデータ読み出し手段２３を、判別手段２０が１以上の識別情報を認識している状態から１以上の識別情報を認識しなくなったことと判別手段２０が特定した領域とに基づいて、関連情報記憶手段２２から関連情報を読み出すように構成することもできる。このようにすると複数の指定用ユニット１７の組み合わせ方、複数の指定用ユニット１７によりどの領域を指定するか、複数の指定用ユニット１７により領域を指定する順番、指定用ユニット１７による領域の指定解除の有無などによって音声出力される関連情報の内容または筋書きを変えることが可能になる。したがって従来の知育用電子装置と比べて、音声表示できる内容が豊富になる。また指定用ユニット１７の使い方の工夫を使用者が積極的にすることになるので知育効果を従来よりも高めることができる。
【００３９】
なお複数の指定用ユニット１７を用いる場合には、判別手段２０は、複数の指定用ユニット１７のそれぞれの識別情報を認識できるように構成する。またデータ読み出し手段２３は、判別手段２０が判別した複数の識別情報と判別手段２０が特定した領域とに基づいて、関連情報記憶手段２２から関連情報を読み出すように構成する。このようにすると指定用ユニットの数を増やせば増やすほど、関連情報の種類は増えることになり、従来と比べて、音声出力のバリエーションを大幅に増やすことが可能になる。
【００４０】
図３の回路を構成するブロックのうち、判別手段２０、情報表示面特定手段２１及びデータ読み出し手段２３の全部または主要部分は、マイクロコンピュータを用いて実現することができる。
【００４１】
なお本実施の形態では、５つの押しボタン８を備えている。これらの押しボタン８の使用方法は任意であり、押しボタン８の一つが押されると、警笛や鳴き声等が音声出力されるようにしてもよい。また押しボタン８を押すと、その頁に応じたクイズが音声出力されるようにしてもよい。さらに押しボタン８を押すことにより、同じ本２を置いた場合であっても、音声出力されるストーリを複数のストーリの中から選択できるようにしてもよい。このようにする場合には、押しボタン８をデータ読み出し手段２３の読み出し切り替えスイッチとして使用することになる。
【００４２】
図５は、図１及び図２に示された実施の形態を図３に示した回路で動作させる場合に用いるソフトウエアのアルゴリズムの一例を示すフローチャートである。このソフトウエアでは、ステップＳＴ１で開かれている本の頁の確認が実行される。そしてステップＳＴ２では、開かれている頁が前回と同じか否かが判定され、同じでなければステップＳＴ３へと進んで、開かれている頁に関連する情報が音声出力される。次に、ステップＳＴ４に進んで、無線ＩＣタグ１８の存在（指定用ユニット１７の存在）を確認し、無線ＩＣタグ１８から送信されてきた識別情報を判別する。そして識別した無線ＩＣタグに関連する情報を関連情報記憶手段２２から読み出して音声出力する。もしステップＳＴ４で、無線ＩＣタグ１８の存在（指定用ユニット１７の存在）を確認しなければ、ステップＳＴ６へと進む。ステップＳＴ６では、終了するか否かの判定を行い、終了しない場合には、ステップＳＴ１へと戻る。新たに頁がめくられれば、次の頁に関連する情報が音声出力される。
【００４３】
図６（Ａ）及び（Ｂ）は、このソフトウエアを使用する場合の過程の一部をそれぞれ示している。図６（Ａ）に示す状態が、本２の頁が開かれたときの状態であり、頁に関連する情報として「タローは、近くの公園に散歩にやってきました・・・」と音声出力される。この音声出力が終了した後、図６（Ｂ）に示すように、犬の形状をした指定用ユニット１７が本２の右側の頁の上に置かれると、指定用ユニット１７から得た識別情報が判別されて、指定用ユニット１７が置かれた領域（この例では１カ所）に描かれている情報（絵等）と指定用ユニット１７との関係を示す情報として「わ〜！とってもきれい〜！！」と音声出力される。このときの音声出力は、音質が変えられていてもよいのは勿論である。
【００４４】
図７は、第１乃至第３の指示用ユニットが使用される場合に用いられるソフトウエアのアルゴリズムの一例を示すフローチャートである。ステップＳＴ１１〜ステップＳＴ１３までは、図５のステップＳＴ１〜ステップＳＴ３と同じである。このソフトウエアでは、ステップＳＴ１４，ステップＳＴ１６及びステップＳＴ１８で、予め定めた優先順位に従って、第１〜第３の指定用ユニットのいずれが本の頁の上に載っているかの判定が行われ、判定結果に基づいて音声出力がなされる（ステップＳＴ１５，ステップＳＴ１７及びステップＳＴ１９）。そしてステップＳＴ２０，ステップＳＴ２２及びステップＳＴ２４では、第１〜第３の指定用ユニットいずれが、本２の頁上から退去したかの判定が行われる。第１〜第３の指定用ユニットいずれかが退去した場合には、その退去した指定用ユニットに関連して退去に伴う音声出力がなされる（ステップＳＴ２１，ステップＳＴ２３及びステップＳＴ２５）。
【００４５】
図８は、４つの人形ａ〜人形ｄの指定用ユニットを使用する場合の音声出力の態様の一例を示す図である。この音声出力の態様では、最初に本の頁を開いたときに、その頁に関する関連情報の音声出力がなされる。次に開かれた頁が１頁であれば、指定用ユニット（人形ａ〜人形ｄ）のいずれが頁の上に置かれたかの判別が行われる。この例では、判別した人形ごとにストーリまたはお話が変わる。また頁の上にほぼ同時に複数の指定用ユニットが置かれる場合には、置かれている指定用ユニットの種類によってもお話が変わるようになっている。この例では、お話の音声出力がなされている間は、指定用ユニットを変更してもお話が変わることはない。そして第２頁が開かれると、指定用ユニットの有無に応じて異なったお話が音声出力される。もし最初に第１頁ではなく、第２頁またはその他の頁が開かれたときでも、不自然なお話にならないように、この音声出力の態様では、最初に開かれた頁から自然なお話が始まるように、予め別のお話が準備されている。
【００４６】
図９は、指定用ユニット（人形ａ〜人形ｄ）が本２の頁の上に置かれている状態で、一つのお話が音声出力されているときの途中で、別の指定用ユニットが頁の上に置かれたときの音声出力の態様の一例を示している。この音声出力の態様では、例えば指定用ユニットの人形ａが判別されてお話Ａが音声出力されている途中で、他の指定用ユニットである人形ｂ〜ｄが判別されたときには、新たに判別された指定用ユニットの人形に応じたお話（Ｆ〜Ｉ）へとお話が変わる。またこの音声出力の態様では、最初のお話の出力が終了した後に別の指定用ユニット（人形）が判別されると、判別した別の指定用ユニット（人形）の種類によってお話が変わる。したがってこの音声出力の態様では、指定用ユニット（人形）の種類の選択と指定用ユニット（人形）の配置のタイミングによって、お話の内容が変わっていくため、バラエティに富んだお話を音声出力することができる。
【００４７】
図１０は、複数の指定用ユニットを使用する場合に用いるソフトウエアの他の一例のアルゴリズムを示すフローチャートである。なおこのソフトウエアでは、頁を開いただけでは、音声出力がなされることはなく、指定用ユニットが頁の上に置かれて初めて音声出力がなされる（ステップＳＴ２１〜ステップＳＴ２３）。そして一定時間内に頁上に置かれた指定用ユニットの種類及び／又は順番を確認して、それに応じた関連情報（お話）を音声出力する（ステップＳＴ２３〜ステップＳＴ２５）。また音声出力がなされいる一定時間の間に、頁の上から退去した指定用ユニットの種類及び／又は順番を確認して、それに応じた関連情報（お話）を音声出力する（ステップＳＴ２６〜ステップＳＴ２８）。このようなソフトウエアを用いると、音声出力の途中でお話を変更することができものの、本の頁の上に置く指定用ユニットの組み合わせでお話が変わることになる。
【００４８】
図１１（Ａ）及び（Ｂ）は、４つの指定用ユニット１７ａ〜１７ｄが使用される場合における音声出力の過程を示す図である。図１１（Ａ）では、頁が開かれたときに、その頁に関連する関連情報が音声出力されている状況を示している。そして図１１（Ｂ）は、頁の上に３つの指定用ユニット１７ａ〜１７ｃがほぼ同時に置かれたときに、音声出力がなされている状況を示している。
【００４９】
図１２（Ａ）乃至（Ｃ）は、４つの指定用ユニット１７ａ〜１７ｄが使用される場合における音声出力の過程を示す図である。図１２（Ａ）では、頁が開かれたときに、その頁に関連する関連情報が音声出力されている状況を示している。そして図１２（Ｂ）では、頁の上に２つの指定用ユニット１７ａ及び１７ｃがほぼ同時に置かれたときに、音声出力がなされている状況を示している。そして図１２（Ｃ）は、さらに別の指定用ユニット１７ｄが追加されたときに、音声出力がなされている状況を示している。
【００５０】
図１３は、本発明の知育用電子装置の別の実施の形態の分解斜視図を示している。図１及び図２に示した実施の形態と異なるのは、３つの無線ＩＣタグ読み取り用アンテナ１１５ａ〜１１５ｃを備えている点である。その他の点は、図１及び図２に示した実施の形態と同じであるため、図１３には、図１及び図２に示した部材と同じ部材には、図１及び図２に付した符号の数に１００の数を加えた数の符号を付して説明を省略する。本実施の形態のように３つの無線ＩＣタグ読み取り用アンテナ１１５ａ〜１１５ｃを相互に重ならないように配置すると、情報担持体載置部１０４の上の領域を検出可能な３つの領域に分けることができる。これにより３つの無線ＩＣタグ読み取り用アンテナ１１５ａ〜１１５ｃに対応する本２の頁上の３つの領域が検出可能になる。回路基板１１６上に構成された無線ＩＣタグの読み取り回路を含む信号処理回路は、３つの無線ＩＣタグ読み取り用アンテナ１１５ａ〜１１５ｃからそれぞれ電波を発信し、アンテナに囲まれた領域に置かれた指定用ユニットのみから受信した信号に基づいて、その領域に置かれた指定用ユニットの識別情報を判別するように構成されている。他の領域に置かれる指定用ユニットからの影響を除去するために、無線ＩＣタグ読み取り用アンテナ１１５ａ〜１１５ｃに伝搬してくる最も強い電波をそのアンテナに囲まれた領域に置かれた指定用ユニットからの電波であると判別する性能を信号処理回路が備えている。したがって近接して複数の無線ＩＣタグ読み取り用アンテナ１１５ａ〜１１５ｃを配置したとしても、誤った検出をすることはない。図１４は、３つの無線ＩＣタグ読み取り用アンテナ１１５ａ〜１１５ｃによって検出可能な本１０２の頁の３つの領域１１５ａ´〜１１５ｃ´を示している。
【００５１】
図１５（Ａ）乃至（Ｃ）は、指定用ユニット１７を置く位置（領域１１５ａ´〜１１５ｃ´）を変えた場合における音声出力の過程を示す図である。図１５（Ａ）では、頁が開かれたときに、その頁に関連する関連情報が音声出力されている状況を示している。そして図１５（Ｂ）では、領域１１５ｃ´の上に指定用ユニット１７を置いたときに、音声出力がなされている状況を示している。そして図１２（Ｃ）は、領域１１５ａ´の上に指定用ユニット１７を置いたときに、音声出力がなされている状況を示している。これらの図から分かるように、指定用ユニット１７により指定する頁上の領域を変えることにより、音声出力を変えることができる。
【００５２】
また図１６（Ａ）及び（Ｂ）は、４種類の指定用ユニット１７ａ〜１７ｄを３つの領域１１５ａ´〜１１５ｃ´に置く場合における音声出力の過程を示す図である。図１６（Ａ）では、頁が開かれたときに、その頁に関連する関連情報が音声出力されている状況を示している。そして図１６（Ｂ）では、すべての領域１１５ａ´〜１１５ｃ´の上に指定用ユニット１７ａ〜１７ｃをそれぞれ置いたときに、音声出力がなされている状況を示している。
【００５３】
図１７は、第１乃至第３の領域１１５ａ´〜１１５ｃ´を用いる場合に使用されるソフトウエアのアルゴリズムの一例を示すフローチャートである。ステップＳＴ３１〜ステップＳＴ３３までは、図５のステップＳＴ１〜ステップＳＴ３と同じである。このソフトウエアでは、ステップＳＴ３４において、第１乃至第３の領域１１５ａ´〜１１５ｃ´のいずれかの領域に指定用ユニット（無線ＩＤタグ）が存在しているか否かの判定を行う。そしてステップＳＴ３５では、指定用ユニット（無線ＩＤタグ）が存在している領域と指定用ユニットの種類に応じた関連情報を音声出力する。
【００５４】
図１８は、４つの人形ａ〜人形ｄの指定用ユニットと３つの領域１１５ａ´〜１１５ｃ´を使用する場合の音声出力の態様の一例を示す図である。この音声出力の態様では、最初に本の頁を開いたときに、その頁に関する関連情報の音声出力がなされる。次に開かれた頁が１頁であれば、指定用ユニット（人形ａ〜人形ｄ）のいずれが頁の上のどの領域上に置かれたかの判別が行われる。この例では、判別した人形の種類と領域の組み合わせでストーリまたはお話が変わる。また頁の上の異なる領域上にそれぞれ指定用ユニットが置かれる場合にも、置かれている指定用ユニットの種類と置かれている領域の組み合わせによってもお話が変わるようになっている。この例では、お話の音声出力がなされている間は、指定用ユニットを変更してもお話が変わることはない。そして第２頁が開かれると、指定用ユニットの有無に応じて異なったお話が音声出力される。もし最初に第１頁ではなく、第２頁またはその他の頁が開かれたときでも、不自然なお話にならないように、この音声出力の態様では、最初に開かれた頁から自然なお話が始まるように、予め別のお話が準備されている。
【００５５】
図１９は、ある指定用ユニットが特定の頁の上の領域（例えば領域１１５ｂ´）上に置かれている状態で、一つのお話が音声出力されているときの途中で、別の指定用ユニットがその頁の上の他の領域（例えば領域１１５ｃ´等）に置かれたときの音声出力の変化の態様の一例を示している。この音声出力の態様では、例えば指定用ユニットの人形ａが領域１１５ｂ´で判別されてお話Ａが音声出力されている途中で、他の指定用ユニット（人形ｂ〜ｄ）が、領域１１５ｃ´等で判別されたときには、新たに判別された指定用ユニット（人形ｂ〜ｄ）に応じたお話（Ｆ〜ＩやＮ〜Ｑ））へとお話が変わる。またこの音声出力の態様では、最初のお話の出力が終了した後に別の指定用ユニット（人形）が、同じ領域（１１５ｂ´）で判別されると、新たに判別した別の指定用ユニット（人形）の種類によってお話が変わる。したがってこの音声出力の態様では、指定用ユニット（人形）の種類の選択と、頁上の領域の選択と、指定用ユニット（人形）の配置のタイミングによって、お話の内容が変わっていくため、さらにバラエティに富んだお話を音声出力することができる。いずれにしても、領域の数、指定用ユニットの数及び指定用ユニットの配置及び退去のタイミングをどのように組み合わせて条件を決定し、その決定に従ってお話を変更するかは、任意である。
【００５６】
図２０は、本発明の知育用電子装置のさらに別の実施の形態の分解斜視図を示している。図１及び図２に示した実施の形態と異なるのは、関連情報記憶手段２２２（図２の符号２２参照）が交換可能なＲＯＭを記録媒体として有するＲＯＭカセットによって構成されている点である。その他の点は、図１及び図２に示した実施の形態と同じであるため、図２０には、図１及び図２に示した部材と同じ部材には、図１及び図２に付した符号の数に２００の数を加えた数の符号を付して説明を省略する。図２０の実施の形態で、ＲＯＭカセットは二つ割りのケース２２２Ａの中にＲＯＭが配置された構成を有している。無線ＩＣタグ読み取り用アンテナ２１５が接続された回路基板２１６には、ＲＯＭカセット中のＲＯＭを接続するためのコネクタ２３０が接続されている。そしてコネクタ２３０は、下側フレーム２１６に設けられた開口部２１６Ａに嵌合される。なお本実施の形態では、図１の実施の形態とは、上側フレーム２０５の形状が異なっている。本実施の形態でも、図１３に示した実施の形態と同様に、無線ＩＣタグ読み取り用アンテナの数を複数にしてもよいのは勿論である。
【図面の簡単な説明】
【００５７】
【図１】本発明の知育用電子装置の実施の形態の一例の斜視図である。
【図２】図１の知育用電子装置の分解斜視図である。
【図３】本実施の形態の知育用電子装置の装置本体においてデータ処理のために用いる回路の構成を示すブロック図である。
【図４】図１の実施の形態の使用状態を説明するために用いる図である。
【図５】図１及び図２に示された実施の形態を図３に示した回路で動作させる場合に用いるソフトウエアのアルゴリズムの一例を示すフローチャートである。
【図６】（Ａ）及び（Ｂ）は、図５のソフトウエアを使用する場合の過程の一部をそれぞれ示した図である。
【図７】第１乃至第３の指示用ユニットが使用される場合に用いられるソフトウエアのアルゴリズムの一例を示すフローチャートである。
【図８】４つの人形の指定用ユニットを使用する場合の音声出力の態様の一例を示す図である。
【図９】指定用ユニットが本の頁の上に置かれている状態で、一つのお話が音声出力されているときの途中で、別の指定用ユニットが頁の上に置かれたときの音声出力の態様の一例を示す図である。
【図１０】複数の指定用ユニットを使用する場合に用いるソフトウエアの他の一例のアルゴリズムを示すフローチャートである。
【図１１】（Ａ）及び（Ｂ）は、４つの指定用ユニットが使用される場合における音声出力の過程を示す図である。
【図１２】（Ａ）乃至（Ｃ）は、４つの指定用ユニットが使用される場合における音声出力の過程を示す図である。
【図１３】本発明の知育用電子装置の別の実施の形態の分解斜視図である。
【図１４】３つの無線ＩＣタグ読み取り用アンテナによって検出可能な本の頁の３つの領域を示す図である。
【図１５】（Ａ）乃至（Ｃ）は、指定用ユニットを置く位置を変えた場合における音声出力の過程を示す図である。
【図１６】（Ａ）及び（Ｂ）は、４種類の指定用ユニットを３つの領域に置く場合における音声出力の過程を示す図である。
【図１７】第１乃至第３の領域を用いる場合に使用されるソフトウエアのアルゴリズムの一例を示すフローチャートである。
【図１８】４つの人形の指定用ユニットと３つの領域を使用する場合の音声出力の態様の一例を示す図である。
【図１９】ある指定用ユニットが特定の頁の上の領域上に置かれている状態で、一つのお話が音声出力されているときの途中で、別の指定用ユニットがその頁の上の他の領域に置かれたときの音声出力の変化の態様の一例を示している。
【図２０】本発明の知育用電子装置のさらに別の実施の形態の分解斜視図である。
【符号の説明】
【００５８】
１  知育用電子装置
２  本（情報担持体）
３  装置本体
４  情報担持体載置部
５  上側フレーム
６  下側フレーム
７  操作部
８  押しボタン
１０  電源スイッチ
１１  回路基板
１３  スピーカ
１４  電池収納ボックス
１５  無線ＩＣタグ読み取り用アンテナ
１６  回路基板
１７  指定用ユニット
１８  無線ＩＣタグ
１９  回路基板
２０  判別手段
２１  情報表示面特定手段
２２  関連情報記憶手段
２３  データ読み出し手段
２４  音声出力手段
【図１】
2006047419.tif 000003
【図２】
2006047419.tif 000004
【図３】
2006047419.tif 000005
【図４】
2006047419.tif 000006
【図５】
2006047419.tif 000007
【図６】
2006047419.tif 000008
【図７】
2006047419.tif 000009
【図８】
2006047419.tif 000010
【図９】
2006047419.tif 000011
【図１０】
2006047419.tif 000012
【図１１】
2006047419.tif 000013
【図１２】
2006047419.tif 000014
【図１３】
2006047419.tif 000015
【図１４】
2006047419.tif 000016
【図１５】
2006047419.tif 000017
【図１６】
2006047419.tif 000018
【図１７】
2006047419.tif 000019
【図１８】
2006047419.tif 000020
【図１９】
2006047419.tif 000021
【図２０】
2006047419.tif 000022